(57)【要約】  止め手段又は結束手段を移動され又は縛られる物体に取付けるための取付け装置が開示されている。この装置は、固定要素（１）、取付け要素（１６）及び連結要素（１５）を含み、連結要素は固定要素の回りに包囲されたソケット（４）上で回転可能に取付けられ、取付け要素（１６）を固定要素（１）に連結させている。連結要素（１５）は、該連結要素（１５）をガタガタ揺れないで回転させ、該連結要素が耐傾斜性を十分に作れるように一連のすべり体（１２、１３）によってソケット（４）の端部に設けられた環状フランジ（６、７）にもたれかかっている
2005513384.tif 000002
【特許請求の範囲】
【請求項１】
各物品上に同様に固定するのに役立ち、ボルトにより形成された固定要素、吊下げ又は結束手段用の取付け要素、及び固定要素を取付け要素と連結させる連結要素を有し、該固定要素の長さの部分を覆い固定要素を囲む二つの部品からなるブッシュ上で該固定要素の縦軸の回りに回転可能で、該ブッシュの対向両端部に配置された環状フランジにより固定されたブッシュ上にその軸位置を有するように取付けられた、運ばれ又は結束される物品に吊下げ又は結束手段を取付けるための取付け装置であって、
連結要素（１０、１５）が各場合において、一連のころがり接触体（１２、１３）により、ブッシュ（４）の環状フランジ（６、７）の領域においてブッシュ（４）上で支持されていることを特徴とする取付け装置。
【請求項２】
ブッシュ（４）を形成する二つの部品（２、３）が少なくとも部分的に重なり合い、それらの重なり合い領域でプレスばめにより互いに連結されている請求項１に記載の装置。
【請求項３】
連結要素（１０、１５）及びブッシュ（４）と共に一連のころがり接触体（１２、１３）がアンギュラーローラベアリングを形成している請求項１又は２に記載の装置。
【請求項４】
取付け要素（１１、１６）が、固定要素（１）の縦軸からある距離で連結要素（１０、１５）上に枢軸可能な方法で取付けられている請求項１〜３のいずれかの項に記載の装置。
【請求項５】
連結要素（１５）が、取付け要素（１６）が吊下げられることができるフォークヘッド（１７）を有する請求項１〜４のいずれかの項に記載の装置。
【請求項６】
フォークヘッド（１７）が、導入ギャップ（１８）に隣接するアイレット（２０）を備え、該導入ギャップは横方向ボルト（１９）によって橋渡しされることができ、アイレッドの内側幅（Ｗ２）が導入ギャップ（１８）の内側幅（Ｗ１）より大きい請求項５に記載の装置。
【請求項７】
取付け要素（１６）が、平らな領域（２１）を備え、その厚み（ａ）が導入ギャップ（１８）の内側幅（Ｗ１）より小さい請求項６に記載の装置。
【請求項８】
取付け要素（１１、１６）が、固定要素（１）の回りに回転できる吊下げ部材により形成されている請求項１〜７のいずれかの項に記載の装置。
【発明の詳細な説明】
【技術分野】
【０００１】
本発明は、運ばれる又は結束される物品に吊下げ又は結束手段を取付けるための取付け装置に関する。この取付け装置は、各物品上に同様に固定するのに役立ち、ボルトにより形成された固定要素、吊下げ又は結束手段用の取付け要素、及び固定要素を取付け要素と連結させる連結要素を有し、該固定要素の長さの部分を覆い固定要素を囲む二つの部品からなるブッシュ上で該固定要素の縦軸の回りに回転可能で、該ブッシュの対向両端部に配置された環状フランジにより固定されたブッシュ上にその軸位置を有するように取付けられている。
【背景技術】
【０００２】
上述のタイプの取付け要素は西独国特許出願公開第１００１３８４５Ａ１号明細書により知られている。公知の装置の場合、連結要素は二つの部品からなり、その対面する端部表面が互いに突き合わせられたブッシュ上ですべりばめ（sliding fit）によって取付けられている。すべり取付けは通常遂行されるべき要求を満たす。しかし、重い物品を持ち上げることに加え回転させる場合に問題が生じる。
【０００３】
連結要素の回転性能を増加させるために、固定要素と連結要素との間にボールを有する転がり接触体を有する一連のころがり接触体を配置することが、西独国実用新案登録出願公開第８４０６１３０．８Ｕ１号明細書により知られているが、このボールは、比較的高い経費で連結要素の外側からそれらのガイド通路の中に導入されなければならない。ただ一つの連続する転がり接触体を使用すると、この第二の公知の装置の固定要素に関して連結要素の傾斜抵抗が狭く制限される。
【特許文献１】西独国特許出願公開第１００１３８４５Ａ１号明細書
【特許文献２】西独国実用新案登録出願公開第８４０６１３０．８Ｕ１号明細書
【発明の開示】
【発明が解決しようとする課題】
【０００４】
本発明の目的は、問題になっているタイプの取付け装置の場合において、スライド取付けを簡単据付可能な転がり接触取付けに交換し、同時に高いレベルの連結要素の傾斜抵抗が達成されることにより固定要素と連結要素との間の相対的移動性能を増加させることである。
【課題を解決するための手段】
【０００５】
この目的は、一般的なタイプの取付け装置の場合において、連結要素が各場合で一連のころがり接触体により、ブッシュの環状フランジの領域においてブッシュ上で支持されていることで達成される。
【発明の効果】
【０００６】
本発明の取付け装置は早く簡単に組み立てられる。最大限可能な距離で互いに一定間隔に離された二つの連続した転がり接触体の使用によって、その連結要素の傾斜抵抗のレベルは高く、連結要素の回転性能は重い荷物を持ち上げる場合でさえ申し分ない。
【発明を実施するための最良の形態】
【０００７】
図１及び２において、１は、ボルトによって形成される固定要素であり、ボルト上に二つの部品２及び３からなるブッシュ４が取付けられている。二つの部分２及び３はブッシュ４の中央領域で重ね合わされており、重ね領域ではプレスばめ(press fit) により互いに結合されている。スプリングリング５は固定要素１上にブッシュ４の位置を固定する。
【０００８】
ブッシュの両端部では、ブッシュ４は二つの環状フランジ６及び７を有し、円錐形表面８及び９によってブッシュ４の円筒部分を形成している。円錐形表面８及び９の領域では、二つの連続したころがり接触体１２及び１３がブッシュ４と連結要素１０との間に配置されている。連結要素１０は固定要素を環状取付け要素１１に連結させ、ブッシュ４及び連結要素１０と共にそれらの連続するころがり接触体はアンギュラーローラベアリングを形成する。
【０００９】
連続したころがり接触体（ベアリング）１２及び１３の据付は簡単である。まず、連続する転がり接触体１３の転がり接触体が円錐形表面９上に配置される。次いで連結要素１０がブッシュ４の下部部分３上に押し付けられる。その後に、連続する転がり接触体１２の転がり接触体は、連結要素１０上に設けられた走行表面上の列に一列に並べられ、これに続いてブッシュの上部部分２と下部部分３が共に押し付けられる。最終据付工程では、スプリングリング５がブッシュ４の内部の溝１４に入って締まるまで固定要素はブッシュ４の中に無理に押し込まれる。
【００１０】
図３及び４の取付け装置の場合には、その中では図１及び２で示された部分に対応する部分に対して同じ名称が使用されているが、連結要素１５は、上述されたように同じ方法で固定要素１と組み合わされる。このため、この点に関しては、既に述べたことと同じである。上述の第１の態様と第２の態様との差異は第２の態様の取付け要素１６が解除可能な方法で連結要素１５に連結されていることである。この目的のために、連結要素１５はフォークヘッド１７を備え、ヘッドは横方向ボルト１９によって橋渡しできる導入ギャップ１８を有している。
【００１１】
内側の幅Ｗ１を有する導入ギャップ１８は、導入ギャップ１８の内側幅Ｗ１の少なくとも１．５倍に対応する内側幅Ｗ２を有するアイレット２０により隣接されている。フォークヘッド１７と共に連結要素１５を使用して連結要素１５を異なったタイプの取付け要素と組み合わせることができる。ここでは図３及び４に示され、吊下げ部材によって形成された、平らな領域２１を備え、その厚みａが導入ギャップ１８の内側幅Ｗ１より小さい取付け要素１６のような、取付け要素を使用することが有利である。
【図面の簡単な説明】
【００１２】
【図１】第１の取付け装置の正面図である。
【図２】図１のII−II線に沿った断面図である。
【図３】第２の取付け装置の部分的に断面で示す側面図である。
【図４】固定要素に関して回転する取付け要素を有する図３の取付け装置の平面図である。
【符号の説明】
【００１３】
１  固定要素
２、３  部品
４  ブッシュ
５  スプリングリング
６、７  環状フランジ
８、９  円錐形表面
１０、１５  連結要素
１１、１６  （環状）取付け要素
１２、１３  ころがり接触体（ベアリング）
１４  溝
１７  フォークヘッド
１８  導入ギャップ
１９  横方向ボルト
２０  アイレット
２１  平らな領域
【図１】
2005513384.tif 000003
【図２】
2005513384.tif 000004
【図３】
2005513384.tif 000005
【図４】
2005513384.tif 000006
【手続補正書】
【提出日】平成15年11月14日(2003.11.14)
【手続補正１】
【補正対象書類名】特許請求の範囲
【補正対象項目名】請求項１
【補正方法】変更
【補正の内容】
【請求項１】
各物品上に同様に固定するのに役立ち、ボルトにより形成された固定要素（１）、吊下げ又は結束手段用の取付け要素（１１、１６）、及び固定要素（１）を取付け要素（１１、１６）と連結させる連結要素（１０、１５）を有し、該固定要素（１）の長さの部分を覆い固定要素（１）を囲む二つの部品からなるブッシュ（４）上で該固定要素（１）の縦軸の回りに回転可能で、該ブッシュ（４）の対向両端部に配置された環状フランジ（６、７）により固定されたブッシュ（４）上にその軸位置を有するように取付けられた、運ばれ又は結束される物品に吊下げ又は結束手段を取付けるための取付け装置であって、
連結要素（１０、１５）が各場合において、一連のころがり接触体（１２、１３）により、ブッシュ（４）の環状フランジ（６、７）の領域においてブッシュ（４）上で支持されていることを特徴とする取付け装置。
【手続補正２】
【補正対象書類名】明細書
【補正対象項目名】０００３
【補正方法】変更
【補正の内容】
【０００３】
連結要素の回転性能を増加させるために、固定要素と連結要素との間にボールを有する転がり接触体を有する一連のころがり接触体を配置することが、西独国実用新案登録出願公開第８４０６１３０．８Ｕ１号明細書により知られているが、このボールは、比較的高い経費で連結要素の外側からそれらのガイド通路の中に導入されなければならない。ただ一つの連続する転がり接触体を使用すると、この第二の公知の装置の固定要素に関して連結要素の傾斜抵抗が狭く制限される。
米国特許第３３７１９５１Ａ号明細書は取付け装置を開示する。この装置の場合、ボルトで形成された固定要素は、該固定要素を囲う二つのブッシュにより保持されている。そして取付け要素の回転性能を確保するために、二つのブッシュは、固定要素を形成するボルトのヘッドに対して、一方では二つのベアリングリングとボールを含む軸ベアリングによって支持されており、他方では、取付け装置に備えられるべき物品上で別の同じデザインの軸ベアリングと中間リングによって支持されている。第三の公知の装置は複雑な構成である点で不十分であり、その軸ベアリングのころがり接触体が、固定要素として設計されたボルトの引張トルクに依存する無制御のレベルの圧縮応力にさらされる。
【特許文献１】西独国特許出願公開第１００１３８４５Ａ１号明細書
【特許文献２】西独国実用新案登録出願公開第８４０６１３０．８Ｕ１号明細書
【特許文献３】米国特許第３３７１９５１Ａ号明細書
【国際調査報告】
2005513384.tif 000007
2005513384.tif 000008
2005513384.tif 000009
2005513384.tif 000010